(57)【特許請求の範囲】
【請求項１】
被看護者が看護者を呼び出すためベッド、トイレ、風呂等の各所に設けられ、前記被看護者が前記看護者との間で通話を成立させるための通話機能を有する通話機能付き子機（３）及び前記通話機能を有しない通話機能無し子機（４）の何れか一方と、伝送路（Ｌ１、Ｌ２）を経由して前記通話機能付き子機及び前記通話機能無し子機の両者に接続可能で、前記子機からの呼び出しが報知され、前記通話機能付き子機が接続されている場合、前記呼び出しに応答して通話を成立させるためのナースコール親機（１）を備え、
前記子機には、前記ナースコール親機から前記伝送路を経由して電源が供給され、前記ナースコール親機には、前記伝送路の電流・電圧変化をもとに当該ナースコール親機に接続される子機が前記通話機能付き子機又は前記通話機能無し子機であるかを識別するための通話検出回路（２４）と、前記通話機能付き子機又は前記通話機能無し子機からの呼び出しを報知するための親機呼出報知部（１１、２０）と、前記通話検出回路にて識別される前記通話機能付き子機又は前記通話機能無し子機の呼出元の種別情報に対応させて前記呼出報知部での報知パターンを変化させるための親機制御部（１５）を備えたことを特徴とするナースコールシステム。
【請求項２】
被看護者が看護者を呼び出すためベッド、トイレ、風呂等の各所に設けられ、前記被看護者が前記看護者との間で通話を成立させるための通話機能を有する通話機能付き子機（３）及び前記通話機能を有しない通話機能無し子機（４）の何れか一方と、伝送路（Ｌ１、Ｌ２）を経由して前記通話機能付き子機及び前記通話機能無し子機の両者に接続可能で、前記子機からの呼び出しが報知され、前記呼び出しに応答して通話を成立させるためのナースコール親機（１）と、前記ナースコール親機により制御され前記子機からの呼び出しが報知され、前記通話機能付き子機が接続されている場合、前記呼び出しに応答して通話を成立させるための前記看護者により携行される携帯端末（５３）を備え、
前記携帯端末には、通話機能付き子機又は前記通話機能無し子機からの呼び出しを報知するための携帯端末呼出報知部（５３０、５３２）と、
前記子機には、前記ナースコール親機から前記伝送路を経由して電源が供給され、前記ナースコール親機には、前記伝送路の電流・電圧変化をもとに当該ナースコール親機に接続される子機が前記通話機能付き子機又は前記通話機能無し子機であるかを識別するための通話検出回路（２４）と、前記通話検出回路にて識別される前記通話機能付き子機又は前記通話機能無し子機の呼出元の種別情報に対応させて前記携帯端末の前記呼出報知部での報知パターンを変化させるための親機制御部（１５）を備えたことを特徴とするナースコールシステム。
【発明の詳細な説明】
【技術分野】
【０００１】
本発明は、ナースコールシステムに係わり、特に子機の通話機能の有無を検出できるナースコールシステムに関する。
【背景技術】
【０００２】
従来からナースコールシステムでは被看護者（入院患者）が看護者を呼び出すための子機が備えられているが、この子機には被看護者と看護者が通話できる通話機能付き子機と握りボタンの押下等により被看護者が看護者を呼び出す通話機能無し子機とがある。
【０００３】
このような通話機能付き子機と通話機能無し子機とがシステム内に混在しているのは、例えば、トイレや風呂など緊急を要し、また通話機能があったとしても音声が聞き取りにくい場所からの呼出や多床室での代表呼出（部屋単位の呼出）のように他の被看護者に会話の内容を聞かれたくないような場合の呼出には通話機能無し子機を用い、一方、被看護者が看護者と会話により意志を伝えたい時には通話機能付き子機を用いるというように状況に応じて使い分けるようにするためである（例えば、特許文献１参照）。
【０００４】
その他に、通話機能付き子機と通話機能無し子機とをシステム内に混在させた方が導入コストを低減できるという利点もある。
【０００５】
【特許文献１】特開２００７−６９２９号公報
【発明の開示】
【発明が解決しようとする課題】
【０００６】
ところで、上記の従来のナースコールシステムでは、被看護者から看護者への呼出が通話機能付き子機からの呼出か通話機能無し子機からの呼出かが識別できなかった。
【０００７】
即ち、例えば被看護者が点滴の終了を看護者に連絡したい場合、もし通話機能無しの子機の場合には看護者が病室の被看護者のところまで行って初めて点滴終了を確認し、その後の措置を準備することになるが、通話機能付きの子機の場合には被看護者と看護者との間で点滴終了の会話ができるので、被看護者は病室へ行く前に次の対応が準備できる。
【０００８】
このように、通話機能付き子機からの呼出か通話機能無し子機からの呼出かが識別できない場合には、被看護者が看護者に対してどのような要求を出しているのかの判断に時間がかかり、対応が遅くなるという問題があった。
【０００９】
本発明は上記のような課題を解決したものであり、ナースコール親機若しくは携帯端末で通話機能付き子機からの呼出か通話機能無し子機からの呼出かを識別して、その後の措置を迅速に行うことができるナースコールシステムを提供するものである。
【課題を解決するための手段】
【００１０】
本発明のナースコールシステムの第１の態様は、被看護者が看護者を呼び出すためベッド、トイレ、風呂等の各所に設けられ、被看護者が看護者との間で通話を成立させるための通話機能を有する通話機能付き子機及び通話機能を有しない通話機能無し子機の何れか一方と、伝送路を経由して通話機能付き子機及び通話機能無し子機の両者に接続可能で、子機からの呼び出しが報知され、通話機能付き子機が接続されている場合、呼び出しに応答して通話を成立させるためのナースコール親機を備え、子機には、ナースコール親機から伝送路を経由して電源が供給され、ナースコール親機には、伝送路の電流・電圧変化をもとに当該ナースコール親機に接続される子機が通話機能付き子機又は通話機能無し子機であるかを識別するための通話検出回路と、通話機能付き子機又は通話機能無し子機からの呼び出しを報知するための親機呼出報知部と、通話検出回路にて識別される通話機能付き子機又は通話機能無し子機の呼出元の種別情報に対応させて呼出報知部での報知パターンを変化させるための親機制御部を備えたことを特徴とする。
【００１１】
また、本発明のナースコールシステムの第２の態様は、被看護者が看護者を呼び出すためベッド、トイレ、風呂等の各所に設けられ、被看護者が看護者との間で通話を成立させるための通話機能を有する通話機能付き子機及び通話機能を有しない通話機能無し子機の何れか一方と、伝送路を経由して通話機能付き子機及び通話機能無し子機の両者に接続可能で、子機からの呼び出しが報知され、呼び出しに応答して通話を成立させるためのナースコール親機と、ナースコール親機により制御され子機からの呼び出しが報知され、通話機能付き子機が接続されている場合、呼び出しに応答して通話を成立させるための看護者により携行される携帯端末を備え、携帯端末には、通話機能付き子機又は通話機能無し子機からの呼び出しを報知するための携帯端末呼出報知部と、子機には、ナースコール親機から伝送路を経由して電源が供給され、ナースコール親機には、伝送路の電流・電圧変化をもとに当該ナースコール親機に接続される子機が通話機能付き子機又は通話機能無し子機であるかを識別するための通話検出回路と、通話検出回路にて識別される通話機能付き子機又は通話機能無し子機の呼出元の種別情報に対応させて携帯端末の呼出報知部での報知パターンを変化させるための親機制御部を備えたことを特徴とする。
【発明の効果】
【００１２】
本発明のナースコールシステムによれば、看護者が被看護者からの呼出に対してナースコール親機又は携帯端末で通話機能付き子機からの呼出か通話機能無し子機からの呼出かが即座に識別できるので、呼出後の措置について迅速に対応することができる。
【発明を実施するための最良の形態】
【００１３】
以下、本発明によるナースコールシステムの実施の形態を図に基づいて説明する。
【００１４】
図１は本発明によるナースコールシステムのブロック図の一例である。
【００１５】
図１において、本発明のナースコールシステムは、病院等において被看護者からの呼出しを看護者に知らせるナースコール親機１と、被看護者が看護者を呼出すために操作する通話機能無し子機４、４、・・・と、被看護者が看護者を呼出し通話するために操作する通話機能付き子機３、３、・・・と、被看護者からの呼出を回診中のためにナースステーションから離れた場所にいる看護者にも知らせるための看護者の携帯する携帯端末５３と、この携帯端末へ呼出情報を着信させるための交換機５１、基地局５２とからなる。
【００１６】
このようなナースコールシステムは、ナースコール親機１と、通話機能無し子機４、４、・・・と、通話機能付き子機３、３、・・・がそれぞれ子機ラインＬ１、Ｌ２を介して、また交換機５１、基地局５２が交換機ラインＬＸを介して接続されている。
【００１７】
ここで、ナースコール親機１には、子機からの呼出を検出する呼出検出回路１７と、この呼出検出回路１７と接続され、呼出があったことを親機表示回路１２を介して表示する親機呼出報知部の一つである親機表示灯１１が備えられており、また呼出があった場合この呼出が通話機能付き子機からのものか通話機能無し子機からのものかを識別する通話検出回路２４と、この通話検出回路２４と接続され呼出が通話機能無し子機からのものである場合に通話表示回路２３を介して点灯表示する通話表示灯２２が備えられている。
【００１８】
さらにナースコール親機１には、看護者が被看護者と通話を開始するための選局スイッチ１３が子機との通話を可能にする通話切替回路１４と接続されており、この通話切替回路１４と接続され、呼出音の発生や看護者と被看護者とを通話状態にさせる親機音声回路１６が備えられている。
【００１９】
そして親機音声回路１６には呼出音の鳴動や被看護者からの音声を報音するための親機スピーカアンプ１８及び親機呼出報知部の一つである親機スピーカ２０、看護者が被看護者に通話するための親機マイクアンプ１９及び親機マイク２１が接続されており、さらに親機音声回路１６と接続されて呼出情報を交換機５１及び基地局５２を介して携帯端末５３へ伝送するための交換機インターフェイス回路２５が備えられている。
【００２０】
またナースコール親機１内において各構成機器の動作を制御するための親機制御回路１５が備えられている。
【００２１】
なお、ナースコール親機１内には商用電源から電源を受電し、ナースコール親機１内の各構成機器及び通話機能付き子機３、通話機能無し子機４に電源を供給するための電源部２６が備えられている。
【００２２】
一方、通話機能付き子機３には、被看護者が看護者に対して通話を開始するための呼出ボタン３２、呼出があったことを被看護者に知らせるための子機呼出表示灯３１、被看護者が看護者との間で通話を可能にするための子機音声回路３４が備えられており、これらの各構成機器は通話機能付き子機３内の動作を制御する子機制御回路３３に接続されている。そして、子機音声回路３４には子機マイク３５、子機スピーカ３６が接続されている。
【００２３】
また、通話機能無し子機４には、被看護者が看護者に対して呼出を行うための呼出ボタン４２、呼出があったことを被看護者に知らせるための子機呼出表示灯４１が備えられており、これらの構成機器は通話機能無し子機４内の動作を制御する子機制御回路４３に接続されている。
【００２４】
次に、このように構成されたナースコールシステムにおける通話機能付き子機からの呼出か通話機能無し子機からの呼出かを識別する動作について説明する。
【００２５】
まず、被看護者が通話機能無し子機４の呼出ボタン４２を押すと、通話機能無し子機４の子機制御回路４３は呼出を被看護者に知らせるための子機呼出表示灯４１を点灯させると共に、子機ラインＬ１を介してナースコール親機１へ呼出を知らせる。
【００２６】
ナースコール親機１では、呼出検出回路１７にて呼出を検出し、親機表示回路１２を介して親機表示灯１１を点灯させる。このとき、通話機能無し子機４は通話機能が無いため、伝送路の電流・電圧変化をもとに通話検出回路２４が通話機能無し子機からの呼出であることを検出し、親機制御回路１５は、親機音声回路１６から呼出音を発生させ親機スピーカアンプ１８を介して親機スピーカ２０より通話機能無し子機からの呼出であることを示す報知パターンによる呼出音を鳴動させることで看護者に対し被看護者からの呼出を報知する。
【００２７】
また、通話表示回路２３を介して通話表示灯２２を点灯させることで看護者に通話機能無し子機からの呼出である旨を伝え、その後の取るべき処置に関して迅速な対応を促す。
【００２８】
同時に、親機制御回路１５は交換機インターフェイス２５を介して、交換機５１へ呼出情報を伝送する。交換機５１は基地局５２より無線信号で携帯端末５３へ呼出情報を着信させる。
【００２９】
携帯端末５３は、図２に示すように携帯端末呼出報知部の一つである呼出先表示５３２（例えば、３階トイレの２番目）と通話不可表示５３３（例えば、通話不可の場合×印）の呼出情報を表示画面５３１に表示させることで看護者に被看護者の現在の場所及び通話機能無し子機からの呼出である旨を伝え、その後の取るべき処置に関して迅速な対応を促す。なお、携帯端末５３には、携帯端末呼出報知部として呼出先表示５３２の他に携帯端末スピーカ５３０も備えられている。
【００３０】
一方、被看護者が通話機能付き子機３の呼出ボタン３２を押すと、子機制御回路３３は呼出を被看護者に知らせるための子機呼出表示灯３１を点灯させると共に、子機ラインＬ２を介してナースコール親機１へ呼出を知らせる。
【００３１】
ナースコール親機１では、呼出検出回路１７にて呼出を検出し、親機表示回路１２を介して親機表示灯１１を点灯させる。このとき、通話機能付き子機３は通話機能が有るため、伝送路の電流・電圧変化をもとに通話検出回路２４は通話機能付き子機からの呼出であるため通話機能無し子機からの呼出を検出せず、親機制御回路１５は、親機音声回路１６から呼出音を発生させ親機スピーカアンプ１８を介して親機スピーカ２０より通話機能付き子機からの呼出であることを示す報知パターンによる呼出音を鳴動させることで看護者に対し被看護者からの呼出を報知する。また、通話表示灯２２は点灯しない。
【００３２】
看護者が被看護者からの呼出が通話機能付き子機からのものであると判断した場合は、看護者は被看護者との通話をするためにナースコール親機１の選局スイッチ１３を操作する。選局スイッチ１３の操作が行われると通話切替回路１４が子機ラインＬ２と親機音声回路１６を接続し、親機スピーカアンプ１８及び親機マイクアンプ１９を介して親機スピーカ２０及び親機マイク２１を通話状態にする。
【００３３】
一方、通話機能付き子機３では、子機制御回路３３が子機ラインＬ２と子機音声回路３４を接続し、子機マイク３５と子機スピーカ３６を使用可能にすることで、ナースコール親機１との間で通話を成立させる。
【００３４】
ところで、携帯端末５３の呼出情報は通話可能表示（例えば、○印）を表示させてもよく、また通話不可表示又は通話可能表示を子機からの呼出に応じて切替て表示させるようにしてもよい。
【００３５】
以上のように本発明のナースコールシステムでは、看護者が被看護者からの呼出に対して通話機能付き子機からのものであるか通話機能無し子機からのものであるかを即座に判断することができるので、被看護者に対して迅速かつ配慮の行き届いた対応が可能となる。
【図面の簡単な説明】
【００３６】
【図１】本発明のナースコールシステムのブロック図の一例である。
【図２】本発明のナースコールシステムの携帯端末の表示画面の一例を説明する図である。
【符号の説明】
【００３７】
１                    ナースコール親機
３                    通話機能付き子機
４                    通話機能無し子機
１１                  親機表示灯
１２                  親機表示回路
１５                  親機制御回路
２０                  親機スピーカ
２４                  通話検出回路
５３                  携帯端末
５３０                携帯端末スピーカ
５３２                呼出先表示
【図１】
0004833941.tif 000002
【図２】
0004833941.tif 000003